(57)【要約】【課題】カセット本体と蓋との係合離脱を改良し、片手で容易に蓋を開閉できる医療検査用カセット本体を提供する。【解決手段】医療検査用カセット１はカセット本体２と蓋３とを具備してなり、カセット本体２の短辺側の両側壁に形成される突出した係止部５は、該側壁の上端の一部が切り欠かれ、その上面が先端部に向かって斜降する斜降面６からなり、その下面が先端部に向かって斜昇する斜昇面９からなる略台形状からなり、その両側に形成される小壁部を堰止部７としている。また、蓋３は、多数の透孔４Ｂを有する板状体からなり、その裏面の対向する短辺側の２辺に、前記係止部５に係合する勾状係止部８が一辺には１個、他辺には２個それぞれ垂設されている。カセット本体２に蓋３を被着する際は、蓋３の勾状係止部８の先端がこの斜降面６に沿ってスムーズに誘導・係合され、また蓋３を取り去る際には、斜昇面９に沿ってスムーズに誘導・離脱されるので、片手でも容易に蓋が開閉でき、作業効率が向上する。【選択図】図５
0003106986.tif 000002
【実用新案登録請求の範囲】
【請求項１】
耐薬品性材料からなるカセット本体と蓋とを具備してなり、前記カセット本体は上面を開放した方形の容器で底部に多数の透孔を有し、且つ少なくとも対向する２側壁の外側に少なくとも１個の突出した係止部を有し、前記蓋は多数の透孔を有する板状体からなり、その裏面の少なくとも対向する２辺に、前記係止部に係脱自在に係合する少なくとも１個の勾状係止部を垂設してなり、前記突出した係止部の上面が先端部に向かって斜降する斜降面からなることを特徴とする医療検査用カセット。
【請求項２】
突出した係止部の両側に堰止部を形成したことを特徴とする医療検査用カセット。
【請求項３】
突出した係止部の上面が先端部に向かって斜降する斜降面からなるとともに、下面が先端部に向かって斜昇した斜昇面からなる略台形状からなることを特徴とする請求項１又は２記載の医療検査用カセット。
【請求項４】
突出した係止部が３個であり、勾状係止部が一方の辺は１個で他方の辺は２個であることを特徴とする請求項１〜３のいずれか１項に記載の医療検査用カセット。
【請求項５】
少なくとも対向する側壁の外側にアダプター固定部を突設したことを特徴とする請求項１〜４のいずれか１項に記載の医療検査用カセット。
【請求項６】
蓋の内側に、カセット本体と嵌合するリブを周設したことを特徴とする請求項１〜５のいずれか１項に記載の医療検査用カセット。
【請求項７】
耐薬品性材料が合成樹脂からなる請求項１〜６のいずれか１項に記載の医療検査用カセット。
【考案の詳細な説明】
【技術分野】
【０００１】
本考案は、医療検査用顕微鏡標本の作製に使用する医療検査用カセットに関し、更に詳しくは、蓋の開閉を改良し、片手で容易且つスムーズに蓋を開閉できる医療検査用カセットに関する。
【背景技術】
【０００２】
従来、この種の医療検査用カセットとしては、耐薬品性合成樹脂からなるカセット本体と蓋とを具備してなり、カセット本体は上面を開放した方形の容器で底部に多数の透孔を有し、且つ少なくとも対向する側壁の外側に断面視、矩形状の係止部を有すると共に、標本作製時に使われるミクロトーム（超薄切片の試料を作製するための装置）におけるアダプター（試料をパラフィンで包埋させて作製したいわゆるカセットブロックを固定するための機構部）の係合爪と係合するようにアダプター固定用突起を設けている。
【０００３】
また、前記カセットの蓋は多数の透孔を有する板状体からなり、その裏面の少なくとも対向する２辺に前記係止部に係脱可能に係合する舌片状係止部を垂設すると共に、蓋の裏面にはカセット本体の内周面に嵌合する突縁部が立設されている（例えば、特許文献１参照）。
【０００４】
一方、この種の医療検査用カセットは、カセット本体の対向する側壁に断面視、矩形状の係止部と、該係止部に係脱可能に係合する舌片状係止部は備えてはいるが、前記カセット本体のアダプター固定用突起と蓋の裏側の突縁部を備えていない形態のカセットも多用されている。
【０００５】
そして、被検者から採取した検体はカセット本体内に収容した後、カセット本体の側壁の外側に設けられた矩形状の係止部に、蓋の端部から垂設された舌片状係止部が係合するように取り付けられ、その後カセット本体の１側壁に設けられ表面梨地状に形成された記録部に被検者の氏名等を記録しておく。
【０００６】
以降、透孔を通じて検体を水洗し、次いでアルコールによって検体付着の水分を除去し、キシレンによって液状パラフィンとの親和性を付与した後、パラフィンで包埋させていわゆるカセットブロックとし、これをミクロトームのアダプターで固定してスライスし、顕微鏡標本を作製する。
【特許文献１】実用新案登録第２５４７４１０号公報（第１図、第２図、第４図）
【考案の開示】
【考案が解決しようとする課題】
【０００７】
しかしながら、上記医療検査用カセットにおいては、係止部の形状が矩形状であるため、これに係合される蓋の舌片状係止部との係合がスムーズでなく、また、取り外す際には外し難く、作業性が良好とは云えなかった。この種カセットの蓋の開閉作業は、通常、一方の手にはピンセットを持ち、他方の片手のみによって行われるため、無理矢理に離脱開蓋した際にはカセット本体が跳ねたりして貴重な検体試料を無駄にする場合もあった。
【０００８】
本考案の医療検査用カセットは、かかる実情に鑑み、これらの問題点を解消したもので、カセット本体と蓋との係合離脱を容易にし、片手によりスムーズに蓋の開閉を可能にすると共に、カセット本体に蓋を装着する際の蓋の向きを意識せずに装着可能にして作業性を格段に向上させることを目的とする。
【課題を解決するための手段】
【０００９】
上記目的を達成するために、本考案の請求項１は、耐薬品性材料からなるカセット本体と蓋とを具備してなり、前記カセット本体は上面を開放した方形の容器で底部に多数の透孔を有し、且つ少なくとも対向する２側壁の外側に少なくとも１個の突出した係止部を有し、前記蓋は多数の透孔を有する板状体からなり、その裏面の少なくとも対向する２辺に、前記係止部に係脱自在に係合する少なくとも１個の勾状係止部を垂設してなり、前記突出した係止部の上面が先端部に向かって斜降する斜降面からなることを特徴とする医療検査用カセットを内容とする。
【００１０】
本考案の請求項２は、突出した係止部の両側に堰止部を形成したことを特徴とする医療検査用カセットを内容とする。
【００１１】
本考案の請求項３は、突出した係止部の上面が先端部に向かって斜降する斜降面からなるとともに、下面が先端部に向かって斜昇した斜昇面からなる略台形状からなることを特徴とする請求項１又は２記載の医療検査用カセットを内容とする。
【００１２】
本考案の請求項４は、突出した係止部が３個であり、勾状係止部が一方の辺は１個で他方の辺は２個であることを特徴とする請求項１〜３のいずれか１項に記載の医療検査用カセットを内容とする。
【００１３】
本考案の請求項５は、少なくとも対向する側壁の外側にアダプター固定部を突設したことを特徴とする請求項１〜４のいずれか１項に記載の医療検査用カセットを内容とする。
【００１４】
本考案の請求項６は、蓋の内側に、カセット本体と嵌合するリブを周設したことを特徴とする請求項１〜５のいずれか１項に記載の医療検査用カセットを内容とする。
【００１５】
本考案の請求項７は、耐薬品性材料が合成樹脂からなる請求項１〜６のいずれか１項に記載の医療検査用カセットを内容とする。
【考案の効果】
【００１６】
本考案のカセットによれば、カセット本体の少なくとも対向する２側壁の外側に少なくとも１個の突出した係止部を備え、該係止部の上面が先端部に向かって斜降する斜降面からなるとともに、両側に堰止部を設けることにより、蓋の勾状係止部は突出した係止部上面の斜降面に沿って滑らかに誘導されて係合に至るので、蓋の係合が極めてスムーズになる。
また、係止部の両側に堰止部を設けることにより、勾状係止部が横すべりすることが防止され、薬液処理の際などに蓋が横ずれして貴重な検体が洩れ出すといったトラブルも防止される。
【００１７】
更に、係止部の上面が先端部に向かって斜降する斜降面を成形するとともに、下面が先端部に向かって斜昇する斜昇面を形成した略台形状に形成することにより、閉蓋時には上記したように蓋がスムーズに係合するとともに、開蓋時には蓋の勾状係止部は突出した係止部の下面の斜昇部に沿って滑らかに誘導されて係合を離脱するに至るので、蓋のカセット本体への係合・離脱が共にスムーズに行われ作業性が一段と向上する。
【００１８】
また、カセット本体の対向する側壁の片側に、突出した係止部をそれぞれ３個づつ設け、蓋裏側に設けられる勾状係止部が一方の辺は１個で他方の辺は２個設けることにより、カセット本体に蓋を装着する際、蓋の向きが変わっても該蓋の勾状係止部はカセット本体の係合部に確実に係合されるので、作業者は蓋の向きを意識することなく蓋を装着できるので作業性が格段に向上する。また、３箇所で係合するので係合がより確実になるとともに、１箇所の係合部分から蓋を開けるようにすれば、小さな力で容易に開けることができる。
【００１９】
耐薬品性材料として合成樹脂を用いると、成形性が容易で且つ安価なカセットが提供される。
【考案を実施するための最良の形態】
【００２０】
本考案の医療検査用カセットは、耐薬品性材料からなるカセット本体と蓋とを具備してなり、前記カセット本体は上面を開放した方形の容器で底部に多数の透孔を有し、且つ少なくとも対向する２側壁の外側に少なくとも１個の突出した係止部を有し、前記蓋は多数の透孔を有する板状体からなり、その裏面の少なくとも対向する２辺に、前記係止部に係脱自在に係合する少なくとも１個の勾状係止部を垂設してなり、前記突出した係止部の上面が先端部に向かって斜降する斜降面からなることを特徴とする。
【００２１】
カセット本体の対向する側壁には、突出した係止部が少なくとも１個設けられるが、係合・離脱の作業性及び効果の点から３個程度が好ましい。また、各係止部の両側には小壁部からなる堰止部を設けることにより、蓋の左右のずれを防ぐことができる。
【００２２】
蓋の対向する２辺には、カセット本体の突出した係止部に係脱自在に係合する少なくとも１個の勾状係止部が垂設されるが、係合・離脱の作業性及び効果の点から、１〜２個設けるのが好ましく、特に１辺に１個、他辺に２個設けることにより、１辺で１箇所と他辺で２箇所の計３箇所で係合するので安定且つ確実に係合でき、また１箇所の係合箇所を小さな力で容易に係合を離脱できる点で一方の辺には１個、他方の辺には２個設けるのが好ましい。
【００２３】
更にまた、蓋の内側には、カセット本体に嵌合するリブを対向する２辺又は４辺に設けることにより、収容した検体が小さい場合でも蓋とカセット本体側壁との隙間から洩れ出るのを防ぐことができる。
【００２４】
また、蓋の勾状係止部を垂設した辺をカセット本体よりも少し出っ張るように大き目として突縁部を設けることにより、この突縁部に親指を掛け、蓋の上面に人差指を掛けて係合を離脱させ、片手で蓋を容易に開けることができる。この突縁部は勾状係止部の付近のみに設けることも可能である。
【００２５】
本考案のカセットの材料は、標本作成に使用する化学薬品に対して耐性を有する合成樹脂や金属が好ましく、例えば、ポリアセタール、ポリアミド、ポリカーボネート、ポリエステル、ポリプロピレン、ステンレス等が挙げられる。
また、カセット本体を樹脂で作り、蓋を金属で作ることもでき、更に、その逆も可能である。
【００２６】
また、カセット本体、蓋のいずれかが、又はその両方が透明材料で作成されることにより、蓋のみが透明材料からなる場合は蓋の外側から、また、カセット本体のみが透明材料からなる場合は、カセット本体（側壁又は底部）の外側から、更に、カセット本体と蓋の両方が透明材料からなる場合は、カセット本体及び蓋の両方の外側から、内部の検体の状況を視認することができる。即ち、カセット内部に収容した検体の状況（大きさ、個数、形状、色、カセット本体内での存在位置、濾紙とともに検体を収容した場合は、濾紙の位置、濾紙上の検体の方向等）を明確に視認することができ、顕微鏡標本作成の効率化、確実化を図るとともに、精度の高い検査結果を得ることができる。
【００２７】
透明材料としては、例えば、ポリプロピレン樹脂、ポリエステル（特にＰＥＴ）樹脂が好適であり、とりわけ耐薬品性に優れ低コストという点からポリプロピレン樹脂が好適である。
【００２８】
また、カセット本体を仕切壁で区画して複数個の小室にすることにより、同時に複数個の検体が処理されるので極めて効率的である。しかし、前記したように、既存のミクロトーム等の装置を使用する場合には、カセットの大きさに自ら制約があり、従って、複数個の小室を設ける場合は、２〜９個程度が好ましい。９個を越えると、小室のサイズが小さくなり過ぎ、収容、処理する検体のサイズも制限され不都合な場合がある。
【００２９】
更にまた、蓋の表面に複数個の０．３〜０．５ｍｍ程度の高さの突起を設けることにより薬液処理の効果を向上させることができる。即ち、この種のカセットは複数個を積み重ねたり、又は並接した状態で薬液処理がなされるが、上記突起を設けることにより上下又は隣接するカセット間に空間部が形成され、この空間部からも薬液がカセット本体内に流入するので均一且つ短時間での薬液処理が可能となり、薬液処理効果が高められる。
【００３０】
以下、実施例を挙げて本考案を詳述するが、本考案はかかる実施例のみに制限されないことは云うまでもない。
【実施例】
【００３１】
実施例１
本考案の実施例を図面に基ずいて説明する。図１（ａ）は、カセット本体と蓋とが係合された状態における医療検査用カセットの上面図、図１（ｂ）はそのＸ１−Ｘ１側断面図、図１（ｃ）はＸ２−Ｘ２側断面図、図２は図１（ｃ）のＡで示した部分の拡大部分断面図である。
【００３２】
これらの図に示すように、本考案の医療検査用カセット１は耐薬品性合成樹脂からなるカセット本体２と蓋３とを具備してなるものであって、カセット本体２は、上面を開放した直方体形の容器で底部に多数の透孔４Ａを有し、且つ、対向する短辺側側壁の略中央外側にそれぞれに１個の突出した係止部５を形成している。そして、該突出した係止部５は、側壁外側の上端の一部が切り欠かれ、その上面が先端部に向かって斜降する斜降面６を形成すると共に、その両側に形成される小壁部を堰止部７としている。
【００３３】
また、該カセット本体２に装着される蓋３は、多数の透孔４Ｂを有する板状体からなり、その裏面の対向する短辺側の２辺に、前記係止部５に係合する１個の勾状係止部８がそれぞれ垂設されている。一方の辺には勾状係止部８の付近に突縁部１２が設けられ、他方の辺には全幅に亘って突縁部１３が設けられている。
【００３４】
上記構成において、カセット本体２に蓋３を装着する際は、係止部５及び該係止部５に対応して係合される勾状係止部８は図示の如く左右対称にそれぞれ１個ずつ設けられているので、蓋の向きはどちらでも良く作業者は蓋の向きを意識することなく装着することができ、また、図２に示すように、係止部５の上面に斜降面６を有しているので蓋を係合する際は、蓋３の勾状係止部８の先端がこの斜降面６に沿って滑らかに誘導されて係合に至るので蓋３はスムーズにカセット本体２に被着される。また、係合された後は係止部５の両側に設けられた堰止部７によって蓋３の幅方向に沿った動きが完全に規制されるので、蓋が横ずれしてカセット本体２に収容した検体が洩れ出るようなトラブルは確実に解消される。
【００３５】
実施例２
図３（ａ）、（ｂ）は勾状係止部が一方の辺には１個で、他方の辺には２個備えている状態をそれぞれ示す蓋の上面図及びＹ−Ｙ断面図、図４はカセット本体の左右両辺にそれぞれ突出した係止部を３個ずつ備えた状態を示す上面図、図５は上面に斜降面、下面に斜昇面を設けた係止部と蓋の勾状係止部との係合状態を示す拡大断面図である。
【００３６】
これらの図に示したように、蓋３の左辺側の長手方向の中心上には１個の勾状係止部８が、また対向する右辺側には、長手方向の中心線を挟んで２個の勾状係止部８がそれぞれ垂設されている。一方、カセット本体２の両辺側には突出した係止部５が、前記蓋３の取付が逆方向になっても係合できる位置に、片側３個づつ配設され、またこれら計６個の各係止部５の両側にはそれぞれ堰止部７が形成されている。また、図５に示したように、突出した係止部５は上面が先端部に向かって斜降する斜降面６を形成するとともに、下面が先端部に向かって斜昇する斜昇面９を形成し、略台形の形状を呈している。
【００３７】
上記構成によって、即ち、勾状係止部８を蓋３の一の辺に１個、他の辺に２個の計３個備えたこと、またカセット本体２に、蓋３の取付方向が逆になっても対応して係合するように片側３個ずつ両側で計６個の係止部５を設けたこと、更に、該係止部５を斜降面６と斜昇面９とを有する略台形状に形成したことにより、カセット本体２と蓋３との係合離脱は片手でスムーズに行うことができるとともに、合計３箇所で係合されるため、安定且つ確実に係合される。また、蓋３を取り去る際には、１箇所で係合している部分から容易に取り去ることができる。
【００３８】
実施例３
本実施例３の医療検査用カセットは、図６〜８に示すように、実施例２において、蓋３の内側にカセット本体２に嵌合するリブ１４を周設した他は実施例２のカセットと同じ構成である。
カセット本体２内に収容した検体が小さい場合に、蓋３とカセット本体２の側壁との隙間から洩出する場合があるが、リブ１４を周設することにより、このようなトラブルが防止される。
【００３９】
実施例４
本実施例４の医療検査用カセットは、前述の実施例２で説明した下記の３点、即ち、勾状係止部８を蓋３の中心非対称に３個備えた点（図３（ａ）参照）、また、カセット本体２に、片側３個ずつ両側で計６個の係止部５を設けた点（図３（ｂ）参照）、更にまた、突出した係止部５の形状を斜降面６と斜昇面９とを有する略台形状にした点（図５参照）については全く同一であり、ここでは実施例２と異なる点について説明する。
【００４０】
図９及び図１０は、カセット本体２の係止部５の設けられていない側の側壁１０の上側略半分の壁厚を厚く形成し、これをアダプター固定部１１とした形態のカセット本体の上面図及びＰ−Ｐ断面図である。
【００４１】
上記構成によって、即ち、このアダプター固定部１１を従来から使われてきた超薄切片の試料を作製するための装置であるミクロトームのアダプターの係合爪で係合できるサイズに設計しておくことにより、たとえカセットのサイズが大きくなったとしても、新たにミクロトームを作製することなく、従来のミクロトームで顕微鏡用標本を作成することができるので好都合である。
【産業上の利用可能性】
【００４２】
本考案の医療検査用カセットによれば、片手で且つワンタッチでスムーズに係合離脱が可能であり、また蓋の向きを意識する必要がないので、作業能率を飛躍的に高めることができる。
【図面の簡単な説明】
【００４３】
【図１】（ａ）本考案の実施例１における医療検査用カセットを示し、カセット本体と蓋とが係合された状態の上面図である。  （ｂ）同カセットのＸ１−Ｘ１側断面図である。  （ｃ）同カセットのＸ２−Ｘ２側断面図である。
【図２】図１（ｃ）のＡで示した部分の拡大部分断面図である。
【図３】（ａ）本考案の実施例２における医療検査用カセットを示し、蓋の短辺側に勾状係止部を１個と２個、計３個備えた状態を示す蓋の上面図である。  （ｂ）同カセットのＹ−Ｙ断面図である。
【図４】図３のカセットの短辺側の本体の両側壁にそれぞれ突出した係止部を３個ずつ、計６個を備えた状態を示す上面図である。
【図５】図３、図４のカセットにおいて、斜降面と斜昇面を設けた係止部と蓋の勾状係止部との係合状態を示す拡大断面図である。
【図６】（ａ）本考案の実施例３における医療検査用カセットを示し、蓋の短辺側に勾状係止部を１個と２個、計３個備えた状態を示す蓋の上面図である。  （ｂ）同カセットのＺ−Ｚ断面図である。
【図７】図３のカセットの短辺側の本体の両側壁にそれぞれ突出した係止部を３個ずつ、計６個を備えた状態を示す上面図である。
【図８】図６、図７のカセットにおいて、斜降面と斜昇面を設けた係止部と蓋の勾状係止部との係合状態を示す拡大断面図である。
【図９】本考案の実施例４における医療検査用カセットにおいて、カセット本体の長辺側の側壁にアダプター固定部を設けたカセット本体の上面図である。
【図１０】図９のカセットのカセット本体におけるＰ−Ｐ断面図である。
【符号の説明】
【００４４】
１  医療検査用カセット
２  カセット本体
３  蓋
４Ａ、４Ｂ  透孔
５  突出した係止部
６  斜降面
７  堰止部
８  勾状係止部
９  斜昇面
１０  容器側壁
１１  アダプター固定部
１２  突縁部
１３  突縁部
１４  リブ
【図１】
0003106986.tif 000003
【図２】
0003106986.tif 000004
【図３】
0003106986.tif 000005
【図４】
0003106986.tif 000006
【図５】
0003106986.tif 000007
【図６】
0003106986.tif 000008
【図７】
0003106986.tif 000009
【図８】
0003106986.tif 000010
【図９】
0003106986.tif 000011
【図１０】
0003106986.tif 000012